(57)【要約】【課題】複合機の一つの排紙トレイに蓄積される印刷済用紙の中にファクシミリ受信に基づく印刷済用紙が紛れ込んでしまった場合でも、そのファクシミリ受信に基づく印刷済用紙を容易に見分けられるようにできる複合機を、提供する。【解決手段】複合機１０は、ファクシミリ信号の受信に基づく印刷に係る用紙のサイズが固定されていない場合において、ファクシミリ信号を受信したときには、ファクシミリ信号に基づいて電話信号制御回路１４４が生成する画像データの画像を、事前に設定されているサイズの用紙に収まるように拡大又は縮小してから、印刷を行う（Ｓ１０１；ファクシミリ信号受信，Ｓ１０２；ＹＥＳ，Ｓ１０４〜Ｓ１０５）。【選択図】図２
2006270672.tif 000002
【特許請求の範囲】
【請求項１】
印刷が済んだ用紙を一つの排紙トレイに排出する複合機であって、
用紙上に印刷を行うための印刷機構，
一種類以上の用紙を前記印刷機構へ供給するための給紙機構，
通信手段を介したホストコンピュータとの各種の情報の通信を制御するための通信制御部，
電話回線を介した交換器との信号の遣り取りを制御するための電話信号制御部，
前記電話信号制御部がファクシミリ信号を受信したときに行う印刷において使用すべき用紙サイズを記憶する記憶部，及び、
前記通信制御部が前記ホストコンピュータから印刷要求を受信したときには、前記給紙機構に対し、その印刷要求において指定されたサイズの用紙を前記印刷機構に供給させるとともに、前記印刷機構に対し、その印刷要求中のデータに基づく画像を前記給紙機構からの用紙に印刷させ、前記電話信号制御部がファクシミリ信号を受信したときには、前記給紙機構に対し、前記記憶部が記憶するサイズの用紙を前記印刷機構へ供給させるとともに、前記印刷機構に対し、その受信したファクシミリ信号に基づく画像を前記給紙機構からの用紙に印刷させる印刷制御部
を備えることを特徴とする複合機。
【請求項２】
前記電話信号制御部がファクシミリ信号を受信したときに行う印刷において使用すべき用紙サイズの指定を受け付ける受付部を、更に備え、
前記記憶部は、前記受付部が受け付けた指定による用紙サイズを記憶する
ことを特徴とする請求項１記載の複合機。
【請求項３】
前記受付部は、入力装置及び表示装置が組み込まれた操作表示盤である
ことを特徴とする請求項２記載の複合機。
【請求項４】
前記受付部は、前記通信手段を介して前記通信制御部に接続される前記ホストコンピュータ上のプリンタドライバにより起動されるユーザインターフェースである
ことを特徴とする請求項２記載の複合機。
【請求項５】
印刷が済んだ用紙を一つの排紙トレイに排出する複合機であって、
用紙上に印刷を行うための印刷機構，
一種類以上の用紙を前記印刷機構へ供給するための給紙機構，
原稿台上の原稿に描かれている画像の画像データを取得するための原稿読取機構，
利用者から各種の指示を受け付けるための受付部，
電話回線を介した交換器との信号の遣り取りを制御するための電話信号制御部，
前記電話信号制御部がファクシミリ信号を受信したときに行う印刷において使用すべき用紙サイズを記憶する記憶部，及び、
前記受付部が利用者から複写実行の指示を受け付けたときには、前記原稿読取機構に対し、前記原稿台上の原稿に描かれている画像の画像データを取得させ、前記給紙機構に対し、その複写実行が指示された際に指定されたサイズの用紙を前記印刷機構に供給させるとともに、前記印刷機構に対し、前記原稿読取機構が取得した画像データに基づく画像を前記給紙機構からの用紙に印刷させ、前記電話信号制御部がファクシミリ信号を受信したときには、前記給紙機構に対し、前記記憶部が記憶するサイズの用紙を前記印刷機構へ供給させるとともに、前記印刷機構に対し、その受信したファクシミリ信号に基づく画像を前記給紙機構からの用紙に印刷させる印刷制御部
を備えることを特徴とする複合機。
【請求項６】
前記記憶部は、前記電話信号制御部がファクシミリ信号を受信したときに行う印刷において使用すべき用紙サイズの指定を前記受付部が受け付けたときに、その指定による用紙サイズを記憶する
ことを特徴とする請求項５記載の複合機。
【請求項７】
前記受付部は、入力装置及び表示装置が組み込まれた操作表示盤である
ことを特徴とする請求項５又は６記載の複合機。
【請求項８】
前記印刷制御部は、前記電話信号制御部がファクシミリ信号を受信したときには、前記給紙機構に対し、前記記憶部が記憶するサイズの用紙を前記印刷機構へ供給させ、その受信したファクシミリ信号に基づく画像データを、その画像に元の用紙サイズを示す情報が表示されるように加工するとともに、前記印刷機構に対し、その加工した画像データの画像を前記給紙機構からの用紙に印刷させる
ことを特徴とする請求項１乃至７の何れかに記載の複合機。
【発明の詳細な説明】
【技術分野】
【０００１】
本発明は、印刷や複写やファクシミリ送受信などの機能を一台で実現する複合機に、関する。
【背景技術】
【０００２】
周知のように、複合機は、ネットワークを介して接続された一台以上のホストコンピュータから印刷要求を受信した場合、原稿台に置かれた原稿についての複写の実行の指示を受け付けた場合、又は、電話回線を介して接続された交換器からファクシミリ信号を受信した場合に、画像を用紙に印刷してその印刷済用紙を排紙トレイに排出するようになっている。
【特許文献１】特開平０５−２７０７２２号公報
【発明の開示】
【発明が解決しようとする課題】
【０００３】
前述したような複合機においては、排紙トレイが一つしかない場合、利用者が印刷済用紙を引き取りに行かなければ、その排紙トレイには、印刷済用紙が蓄積されることとなる。そして、このように印刷済用紙が排紙トレイに蓄積された状態においては、利用者が、印刷済用紙の全てを一度に持ち出すことは少なく、多くの場合、利用者は、排紙トレイ上の印刷済用紙の束の中から、必要とする印刷済用紙だけを取り出し、残りの印刷済用紙を排紙トレイに戻している。
【０００４】
ところが、このように必要とする印刷済用紙を束の中から取り出す場合において、その必要とする印刷済用紙がファクシミリ受信に基づく印刷済用紙であると、どの印刷済用紙がファクシミリ信号の受信に基づく印刷済用紙であるのかが、判断付かなくなってしまうことがある。
【０００５】
本発明は、前述したような従来の事情に鑑みてなされたものであり、その課題は、複合機の一つの排紙トレイに蓄積される印刷済用紙の中にファクシミリ受信に基づく印刷済用紙が紛れ込んでしまった場合でも、そのファクシミリ受信に基づく印刷済用紙を容易に見分けられるようにすることにある。
【０００６】
上記の課題を解決するための発明された複合機の第１の態様は、印刷が済んだ用紙を一つの排紙トレイに排出するものであって、用紙上に印刷を行うための印刷機構，一種類以上の用紙を前記印刷機構へ供給するための給紙機構，通信手段を介したホストコンピュータとの各種の情報の通信を制御するための通信制御部，電話回線を介した交換器との信号の遣り取りを制御するための電話信号制御部，前記電話信号制御部がファクシミリ信号を受信したときに行う印刷において使用すべき用紙サイズを記憶する記憶部，及び、前記通信制御部が前記ホストコンピュータから印刷要求を受信したときには、前記給紙機構に対し、その印刷要求において指定されたサイズの用紙を前記印刷機構に供給させるとともに、前記印刷機構に対し、その印刷要求中のデータに基づく画像を前記給紙機構からの用紙に印刷させ、前記電話信号制御部がファクシミリ信号を受信したときには、前記給紙機構に対し、前記記憶部が記憶するサイズの用紙を前記印刷機構へ供給させるとともに、前記印刷機構に対し、その受信したファクシミリ信号に基づく画像を前記給紙機構からの用紙に印刷させる印刷制御部を備えることを、特徴としている。
【０００７】
このように構成されると、ファクシミリ信号を受信したときに行う印刷において使用する用紙のサイズを、通常の印刷で使わないサイズとしておくことができるので、この場合、一つの排紙トレイに、印刷要求に基づく印刷済用紙と、ファクシミリ受信に基づく印刷済用紙とが混在したとしても、ファクシミリ受信に基づく印刷済用紙を、用紙のサイズから容易に見分けることができることとなる。
【０００８】
また、上記の課題を解決するために発明された複合機の第２の態様は、印刷が済んだ用紙を一つの排紙トレイに排出するものであって、用紙上に印刷を行うための印刷機構，一種類以上の用紙を前記印刷機構へ供給するための給紙機構，原稿台上の原稿に描かれている画像の画像データを取得するための原稿読取機構，利用者から各種の指示を受け付けるための受付部，電話回線を介した交換器との信号の遣り取りを制御するための電話信号制御部，前記電話信号制御部がファクシミリ信号を受信したときに行う印刷において使用すべき用紙サイズを記憶する記憶部，及び、前記受付部が利用者から複写実行の指示を受け付けたときには、前記原稿読取機構に対し、前記原稿台上の原稿に描かれている画像の画像データを取得させ、前記給紙機構に対し、その複写実行が指示された際に指定されたサイズの用紙を前記印刷機構に供給させるとともに、前記印刷機構に対し、前記原稿読取機構が取得した画像データに基づく画像を前記給紙機構からの用紙に印刷させ、前記電話信号制御部がファクシミリ信号を受信したときには、前記給紙機構に対し、前記記憶部が記憶するサイズの用紙を前記印刷機構へ供給させるとともに、前記印刷機構に対し、その受信したファクシミリ信号に基づく画像を前記給紙機構からの用紙に印刷させる印刷制御部を備えることを、特徴としている。
【０００９】
このように構成されると、ファクシミリ信号を受信したときに行う印刷において使用する用紙のサイズを、通常の印刷で使わないサイズとしておくことができるので、この場合、一つの排紙トレイに、複写に基づく印刷済用紙と、ファクシミリ受信に基づく印刷済用紙とが混在したとしても、ファクシミリ受信に基づく印刷済用紙を、用紙のサイズから容易に見分けることができることとなる。
【発明の効果】
【００１０】
従って、本発明によれば、複合機の一つの排紙トレイに蓄積される印刷済用紙の中にファクシミリ受信に基づく印刷済用紙が紛れ込んでしまった場合でも、そのファクシミリ受信に基づく印刷済用紙を容易に見分けられるようになる。
【発明を実施するための最良の形態】
【００１１】
以下、添付図面に基づいて、本発明を実施するための一つの形態である複合機について説明する。
【００１２】
まず、本実施形態の複合機の構成を説明する。
【００１３】
図１は、本実施形態の複合機１０の構成図である。複合機１０は、原稿読取や印刷や複写やファクシミリの機能を一台で実現する機器であり、原稿読取機構１１，印刷機構１２，給紙機構１３，及び、制御装置１４からなる。
【００１４】
原稿読取機構１１は、図示せぬ原稿台上の原稿に描かれている画像の画像データを取得するための機構であり、原稿の画像を走査するための一般的な走査ユニットを内蔵している。
【００１５】
印刷機構１２は、用紙上への印刷を実際に行う機構であり、走査ユニット，現像ユニット，転写ユニット，定着ユニットなどの一般的なユニットを内蔵している。なお、この印刷機構１２によって印刷が行われた用紙は、本複合機１０の筐体外部に備えられている一つの排紙トレイに排出されるようになっている。
【００１６】
給紙機構１３は、給紙カセット又は手差しトレイ上から用紙を一部ずつ取り出して印刷機構１２へ供給するための機構である。なお、本複合機１０の筐体には、給紙カセットを着脱自在に装着するためのスロットが幾つか備えられており、この給紙機構１３は、給紙カセットから用紙を取り出す際には、何れか一つのスロットに装着されている給紙カセットから用紙を取り出すこととなる。
【００１７】
制御装置１４は、上記各機構１１〜１３を利用しながら複合機１０を統合的に制御するための装置である。この制御装置１４は、主要な構成として、原稿読取機構Ｉ／Ｆ１４１，原稿読取用ＲＡＭ１４２，ホストＩ／Ｆ１４３，電話信号制御回路１４４，システム用ＲＡＭ１４５，印刷用ＲＡＭ１４６，印刷機構Ｉ／Ｆ１４７，給紙機構Ｉ／Ｆ１４８，ＲＯＭ１４９，及び、ＣＰＵ１５０を、内蔵している。これらハードウエア１４１〜１５０は、バスＢを介して互いに接続されている。
【００１８】
原稿読取機構Ｉ／Ｆ１４１は、原稿読取機構１１から出力される電気信号に基づいて画像データを生成する機能，及び、原稿読取機構１１の動作を制御する機能を有するインターフェースである。
【００１９】
原稿読取用ＲＡＭ１４２は、原稿読取機構Ｉ／Ｆ１４１によって生成された画像データの一時記憶に使用される揮発性メモリである。
【００２０】
ホストＩ／Ｆ１４３は、所定の通信手段（パラレルケーブル，ネットワークケーブル，ＵＳＢケーブル等）を介して接続されたパーソナルコンピュータ２０との各種の情報の通信を制御するための通信制御用インターフェースユニットであり、具体的には、原稿読取用ＲＡＭ１４２内の画像データをパーソナルコンピュータ２０へ送信したり、そのパーソナルコンピュータ２０から印刷要求を受信したりするためのものとなっている。
【００２１】
電話信号制御回路１４４は、電話回線を介して図示せぬ交換器との電話信号の遣り取りを制御するための通信インターフェースポートであり、具体的には、原稿読取用ＲＡＭ１４２内の画像データをファクシミリ信号へ変換して交換器へ送信したり、ファクシミリ信号を交換器から受信したりするためのものとなっている。
【００２２】
システム用ＲＡＭ（Random Access Memory）１４５は、ホストＩ／Ｆ１４３がホストコンピュータとしてのパーソナルコンピュータ２０から受信した印刷要求の一時的な保存領域として，電話信号制御回路１４４が受信したファクシミリ信号に基づく画像データの一時的な保存領域として，及び、それら印刷要求や画像データに対する処理が行われる際の作業領域として使用される揮発性メモリである。
【００２３】
印刷用ＲＡＭ１４６は、印刷機構１２へ供給すべき画像データとして原稿読取用ＲＡＭ１４２上又はシステム用ＲＡＭ１４５から読み出された画像データを、一時的に待機させるための不揮発性メモリである。
【００２４】
印刷機構Ｉ／Ｆ１４７は、印刷用ＲＡＭ１４６上の画像データを印刷機構１２が処理可能な形態の電気信号に変換するための回路である。
【００２５】
給紙機構Ｉ／Ｆ１４８は、給紙機構１３の動作を制御する機能を有するインターフェースである。
【００２６】
ＲＯＭ（Read Only Memory）１４９は、本複合機１０の制御に使用するための各種のデータやプログラム，及び、印刷機構１２へ出力すべき画像データを印刷要求に基づいて作成する際に利用されるフォントデータ等を記憶した不揮発性メモリである。  
【００２７】
ＣＰＵ（Central Processing Unit）１５０は、ＲＯＭ１４９内のプログラムに従って複合機１０内の各部を統合的に制御する制御回路である。このＣＰＵ１５０は、具体的には、この複合機１０の上面に設けられている図示せぬ操作表示盤に対する操作を通じて操作者から実行すべき処理についての指示を取得する処理，そのような指示取得処理を通じて取得した指示（原稿読取指示，又は、複写指示）に応じて原稿読取機構１１に走査を行わせるための原稿読取制御処理，上記の指示取得処理を通じて取得した原稿読取指示に応じて原稿読取機構Ｉ／Ｆ１４１により生成された画像データをパーソナルコンピュータ２０へ送信する画像データ送信処理，パーソナルコンピュータ２０から送信されてきた印刷要求に基づいて印刷用の画像データを生成する画像データ生成処理，上記の指示取得処理を通じて取得した複写指示に応じて原稿読取機構Ｉ／Ｆ１４１により生成された画像データの画像又は印刷要求に基づいて生成された画像データの画像の印刷を印刷機構１２に行わせるための印刷制御処理がある。
【００２８】
次に、以上のように構成される複合機１０において行われる処理のうち、本発明に係る部分の内容について、説明する。
【００２９】
本複合機１０の制御装置１４内のＣＰＵ１５０は、電話信号制御回路１４４が受信したファクシミリ信号に基づいて画像を印刷する際の用紙のサイズを固定するか否かを指定する動作モード指定情報を、図示せぬ操作表示盤を通じて、又は、パーソナルコンピュータ２０上の図示せぬプリンタドライバを通じて、受け付けるようになっている。そして、その動作モード指定情報を受け付けたときには、ＣＰＵ１５０は、その動作モード指定情報に応じて、システム用ＲＡＭ１４５内に設けているフラグ情報を切り替える。すなわち、ＣＰＵ１５０は、用紙サイズの固定することを指定する動作モード指定情報を受け付けた場合には、そのフラグ情報を有効状態にし、用紙サイズの固定しないことを指定する動作モード指定情報を受け付けた場合には、そのフラグ情報を無効状態にする。
【００３０】
また、このＣＰＵ１５０は、電話信号制御回路１４４が受信したファクシミリ信号に基づいて画像を印刷する際の用紙のサイズを指定するサイズ情報を、図示せぬ操作表示盤を通じて、又は、パーソナルコンピュータ２０上の図示せぬプリンタドライバにより起動されるユーザインターフェースを通じて、受け付けるようになっている。そして、そのサイズ情報を受け付けたときには、ＣＰＵ１５０は、そのサイズ情報を、システム用ＲＡＭ１４５内に記録されているサイズ情報に上書きすることによって、ファクシミリ受信時の印刷に係る用紙サイズの設定を更新する。従って、図示せぬ操作表示盤又は図示せぬプリンタドライバは、前述した受付部に相当している。また、システム用ＲＡＭ１４５は、前述した記憶部に相当している。
【００３１】
さらに、このＣＰＵ１５０は、印刷機構１２が印刷に使用する用紙のサイズを制御するようになっている。この制御は、ＣＰＵ１５０が、ＲＯＭ１４９内の所定のプログラムを起動することによって行われる。図２は、この制御に係る処理の流れを示す図である。
【００３２】
ＣＰＵ１５０は、電源投入後、一般的な初期化処理を終えた後、印刷機構１２の動作を要するイベント（印刷要求の受信，複写の実行指示，ファクシミリ信号の受信）が発生するのを、待機する（Ｓ１０１；ＮＯ）。
【００３３】
そして、ホストＩ／Ｆ１４３が印刷要求を受信するというイベント，又は、図示せぬ操作表示盤において複写実行の指示が入力されるというイベントが発生した場合（Ｓ１０１；印刷要求受信，複写実行指示）、ＣＰＵ１５０は、印刷要求において指定されているサイズ，又は、複写実行の指示が入力されたときに指定されたサイズの用紙が印刷機構１２に供給されるよう、給紙機構Ｉ／Ｆ１４８を制御する（Ｓ１０３）。なお、このとき、ＣＰＵ１５０は、この図２に係る処理と並行して行っている処理により、そのイベント（印刷要求受信，複写実行指示）に基づいて生成される画像データの画像が印刷機構１２において用紙に印刷されるよう、印刷機構Ｉ／Ｆ１４７を制御する。その後、ＣＰＵ１５０は、イベント発生を監視する状態に戻る（Ｓ１０１；ＮＯ）。
【００３４】
一方、電話信号制御回路１４４がファクシミリ信号を受信するというイベントが発生した場合（Ｓ１０１；ファクシミリ信号受信）、ＣＰＵ１５０は、システム用ＲＡＭ１４５内のフラグ情報が有効状態となっているか否かを、判別する（Ｓ１０２）。
【００３５】
そして、システム用ＲＡＭ１４５内のフラグ情報が無効状態であると判断した場合（Ｓ１０２；ＮＯ）、ＣＰＵ１５０は、ファクシミリ信号に基づいて電話信号制御回路１４４が生成する画像データの大きさに応じたサイズの用紙が印刷機構１２に供給されるよう、給紙機構Ｉ／Ｆ１４８を制御する（Ｓ１０３）。なお、このとき、ＣＰＵ１５０は、この図２に係る処理と並行して行っている処理により、そのイベント（ファクシミリ信号受信）に基づいて生成される画像データの画像が印刷機構１２において用紙に印刷されるよう、印刷機構Ｉ／Ｆ１４７を制御する。その後、ＣＰＵ１５０は、イベント発生を監視する状態に戻る（Ｓ１０１；ＮＯ）。
【００３６】
一方、システム用ＲＡＭ１４５内のフラグ情報が有効状態であると判断した場合（Ｓ１０２；ＹＥＳ）、ＣＰＵ１５０は、ファクシミリ信号に基づいて電話信号制御回路１４４が生成する画像データの画像がシステム用ＲＡＭ１４５内のサイズ情報にて示されるサイズの用紙に収まる程度に、その画像データの拡大又は縮小をする（Ｓ１０４）。
【００３７】
続いて、ＣＰＵ１５０は、その拡大又は縮小がなされる前の画像データの画像が収まる用紙サイズを特定し、その用紙サイズを示す情報が画像内に示されるように、拡大又は縮小をした画像データを加工する（Ｓ１０５）。
【００３８】
その後、ＣＰＵ１５０は、システム用ＲＡＭ１４５内のサイズ情報にて示されるサイズの用紙が印刷機構１２に供給されるよう、給紙機構Ｉ／Ｆ１４８を制御する（Ｓ１０６）。なお、このとき、ＣＰＵ１５０は、この図２に係る処理と並行して行っている処理により、拡大又は縮小した画像データの画像が印刷機構１２において用紙に印刷されるよう、印刷機構Ｉ／Ｆ１４７を制御する。その後、ＣＰＵ１５０は、イベント発生を監視する状態に戻る（Ｓ１０１；ＮＯ）。
【００３９】
次に、本実施形態の複合機１０の作用及び効果について説明する。
【００４０】
本実施形態の複合機１０は、パーソナルコンピュータ２０から印刷要求を受けたときや、図示せぬ操作表示盤を通じて複写の実行が指示されたときには、その印刷要求にて指定されたサイズの用紙，又は、複写の実行が指示されたときに指定されたサイズの用紙に印刷を行う（Ｓ１０１；印刷要求受信，複写実行指示，Ｓ１０３）。従って、本実施形態の複合機１０は、従来の複合機と同様に、パーソナルコンピュータ２０の周辺機器の一つである印刷装置として、及び、複写装置として利用できることとなる。
【００４１】
また、本複合機１０は、ファクシミリ信号の受信に基づく印刷に係る用紙のサイズが固定されていない場合において、ファクシミリ信号を受信したときには、そのファクシミリ信号に基づいて電話信号制御回路１４４が生成する画像データの大きさに応じたサイズの用紙に印刷を行う（Ｓ１０１；ファクシミリ信号受信，Ｓ１０２；ＮＯ，Ｓ１０３）。従って、本実施形態の複合機１０は、従来の複合機と同様に、ファクシミリ装置として利用できることとなる。
【００４２】
そして、本複合機１０は、ファクシミリ信号の受信に基づく印刷に係る用紙のサイズが固定されている場合において、ファクシミリ信号を受信したときには、ファクシミリ信号に基づいて電話信号制御回路１４４が生成する画像データの画像を、事前に設定されているサイズの用紙に収まるように拡大又は縮小して、印刷を行う（Ｓ１０１；ファクシミリ信号受信，Ｓ１０２；ＹＥＳ，Ｓ１０４〜Ｓ１０５）。
【００４３】
このため、利用者は、ファクシミリ信号を受信したときに行われる印刷において使用される用紙のサイズを、通常の印刷で使わないサイズ、例えば、Ａ３やＢ４やＡ５などのサイズとしておけば、一つの排紙トレイに、印刷要求に基づく印刷済用紙と、ファクシミリ受信に基づく印刷済用紙とが混在したとしても、或いは、複写に基づく印刷済用紙と、ファクシミリ受信に基づく印刷済用紙とが混在したとしても、ファクシミリ受信に基づく印刷済用紙を、用紙のサイズから容易に見分けることができることとなる。
【図面の簡単な説明】
【００４４】
【図１】本実施形態の複合機の構成図
【図２】印刷に使用する用紙のサイズの制御に係る処理の流れを示す図
【符号の説明】
【００４５】
１０      複合機
１１      原稿読取機構
１２      印刷機構
１３      給紙機構
１４      制御装置
１４１    原稿読取Ｉ／Ｆ
１４２    原稿読取用ＲＡＭ
１４３    ホストＩ／Ｆ
１４４    電話信号制御回路
１４５    システム用ＲＡＭ
１４６    印刷用ＲＡＭ
１４７    印刷機構Ｉ／Ｆ
１４８    給紙機構Ｉ／Ｆ
１４９    ＲＯＭ
１５０    ＣＰＵ
２０      パーソナルコンピュータ
【図１】
2006270672.tif 000003
【図２】
2006270672.tif 000004